(57)【要約】  表示パネルのソース線を両端から駆動する表示装置において、制御基板（１２）上の電源回路（１８）は、ソース基板（１３）から出力された接続確認信号（Ｓ２）が異常を示す場合には、ソースドライバがソース線を駆動するときに用いる電源電圧（Ｖａ）の出力を停止する。制御基板（１２）はソース基板（１３）に対してハイレベルの接続確認信号（Ｓ１）を出力し、ソース基板（１３）は接続確認信号（Ｓ１）を接続確認信号（Ｓ２）として制御基板（１２）に対して出力し、制御基板（１２）は接続確認信号（Ｓ２）をローレベルにプルダウンする。これにより、接続不良などが発生したときでも深刻な損害の発生を防止する。
2017033844.tif 000002
【特許請求の範囲】
【請求項１】
対向する２辺を有し、前記２辺から引き出された複数のソース線を含む表示パネルと、
前記ソース線を両端から駆動する複数のソースドライバと、
前記ソースドライバが前記ソース線を駆動するときに用いる電源電圧を出力する電源回路を含む１以上の制御基板と、
前記制御基板と前記ソースドライバとの間に設けられた２以上のソース基板とを備え、
前記電源回路は、前記ソース基板から前記制御基板に対して出力された信号に基づき、前記電源電圧を出力するか否かを切り替えることを特徴とする、表示装置。
【請求項２】
前記制御基板は、前記ソース基板に対して接続確認信号を出力し、
前記ソース基板は、前記制御基板から出力された接続確認信号を前記制御基板に対して出力し、
前記電源回路は、前記ソース基板から出力された接続確認信号が異常を示す場合には前記電源電圧の出力を停止することを特徴とする、請求項１に記載の表示装置。
【請求項３】
前記制御基板は、前記ソース基板に対して第１レベルを有する接続確認信号を出力し、前記ソース基板から出力された接続確認信号を第２レベルにプルアップまたはプルダウンすることを特徴とする、請求項２に記載の表示装置。
【請求項４】
前記ソースドライバは、駆動開始を指示するスタートパルスを順に転送するように多段接続され、
前記ソース基板は、最終段のソースドライバから出力されたスタートパルスを駆動完了信号として前記制御基板に対して出力し、
前記電源回路は、前記駆動完了信号に基づき、前記電源電圧を出力するか否かを切り替えることを特徴とする、請求項１に記載の表示装置。
【請求項５】
前記電源回路は、前記駆動完了信号が所定の周期で駆動完了を示さない場合には前記電源電圧の出力を停止することを特徴とする、請求項４に記載の表示装置。
【請求項６】
前記ソースドライバは、前段から前記スタートパルスが出力されたときには、対応するソース線を駆動し、後段に対して前記スタートパルスを出力することを特徴とする、請求項５に記載の表示装置。
【請求項７】
前記制御基板に対して接続確認信号を出力する複数のソース基板を備え、
前記電源回路は、前記複数のソース基板から出力された接続確認信号のいずれかが異常を示す場合には前記電源電圧の出力を停止することを特徴とする、請求項１に記載の表示装置。
【請求項８】
接続確認信号を順に転送し、電源制御信号を逆順に転送するように多段接続された複数の制御基板を備え、
最終段以外の制御基板は、前段および対応する基板から出力された接続確認信号がすべて正常を示す場合には、後段に対して正常を示す接続確認信号を出力し、
最終段の制御基板は、前段および対応する基板から出力された接続確認信号がすべて正常を示す場合には、正常を示す電源制御信号を出力し、
前記最終段以外の制御基板は、後段から出力された電源制御信号を前段に対して出力し、
前記制御基板上の電源回路は、前記電源制御信号が異常を示す場合には前記電源電圧の出力を停止することを特徴とする、請求項７に記載の表示装置。
【請求項９】
前記制御基板と前記ソース基板は、ケーブルを用いて接続されることを特徴とする、請求項１に記載の表示装置。
【請求項１０】
前記ソースドライバは、前記ソース基板と前記表示パネルとの間に設けられたフレキシブル基板上に実装されていることを特徴とする、請求項１に記載の表示装置。
【請求項１１】
前記表示パネルは、液晶パネルであることを特徴とする、請求項１に記載の表示装置。
【請求項１２】
対向する２辺を有し、前記２辺から引き出された複数のソース線を含む表示パネルと、前記ソース線を両端から駆動する複数のソースドライバと、前記ソースドライバが前記ソース線を駆動するときに用いる電源電圧を出力する電源回路を含む１以上の制御基板と、前記制御基板と前記ソースドライバとの間に設けられた２以上のソース基板とを有する表示装置の電源制御方法であって、
前記ソース基板から前記制御基板に対して信号を出力するステップと、
前記信号に基づき、前記電源回路が前記電源電圧を出力するか否かを切り替える電源制御ステップとを備えた、表示装置の電源制御方法。
【請求項１３】
前記制御基板が、前記ソース基板に対して接続確認信号を出力するステップと、
前記ソース基板が、前記制御基板から出力された接続確認信号を前記制御基板に対して出力するステップとをさらに備え、
前記電源制御ステップにおいて、前記電源回路は、前記ソース基板から出力された接続確認信号が異常を示す場合には前記電源電圧の出力を停止することを特徴とする、請求項１２に記載の電源制御方法。
【請求項１４】
前記ソースドライバが、駆動開始を指示するスタートパルスを順に転送するように多段接続されている場合に、
前記ソース基板が、最終段のソースドライバから出力されたスタートパルスを駆動完了信号として前記制御基板に対して出力するステップをさらに備え、
前記電源制御ステップにおいて、前記電源回路は、前記駆動完了信号に基づき、前記電源電圧を出力するか否かを切り替えることを特徴とする、請求項１２に記載の電源制御方法。
【請求項１５】
前記表示装置が、前記制御基板に対して接続確認信号を出力する複数のソース基板を含む場合に、
前記電源制御ステップにおいて、前記電源回路は、前記複数のソース基板から出力された接続確認信号のいずれかが異常を示す場合には前記電源電圧の出力を停止することを特徴とする、請求項１２に記載の電源制御方法。
【発明の詳細な説明】
【技術分野】
【０００１】
本発明は、表示装置に関し、特に、表示パネルのソース線を両端から駆動する表示装置に関する。
【背景技術】
【０００２】
液晶表示装置は、薄型、低消費電力の表示装置として広く利用されている。液晶表示装置は、液晶パネル、ゲートドライバ、および、ソースドライバを備えている。液晶パネルは、複数のゲート線、複数のソース線、および、複数の画素回路を含んでいる。なお、ゲート線、ソース線、ゲートドライバ、および、ソースドライバは、それぞれ、走査線、データ線、走査線駆動回路、および、データ線駆動回路などとも呼ばれる。【０００３】
液晶パネルのサイズが大きいほど、ソース線は長くなる。ソース線が長くなると、ソースドライバの駆動能力が不足し、ソース線を所定時間内に駆動することが困難になる。この問題は、例えば、ソースドライバの駆動能力を高くする方法によって解決することができる。しかし、この方法を用いると、ソースドライバのコストや消費電力が増大する。そこで、大型の液晶パネルを備えた液晶表示装置では、ソース線の両端にソースドライバを設け、ソース線を両端から駆動する方法が用いられることがある。【０００４】
本願発明に関連して、特許文献１には、複数のランプの異常を検知するために、直列に接続された複数の整流回路と、直列に接続された複数のＭＯＳＦＥＴ（Metal Oxide Semiconductor Field Effect Transistor ）とを含み、各整流回路の出力端子を各ＭＯＳＦＥＴの制御端子に接続した管電圧制御回路を備えた液晶パネル用バックライト装置が記載されている。特許文献２には、ランプに流れる電流の変化に基づき通電異常が発生したランプを検知し、検知したランプの情報をカーオーディオシステムの表示装置に表示する自動車ランプの通電異常警告システムが記載されている。特許文献３には、電力線に流れる電流を検出し、通電状態を表示すると共に、過電流時に警報を発する過電流警報装置に、電気機器の待機電力を表示する待機電力表示手段を設けることが記載されている。
【先行技術文献】
【特許文献】
【０００５】
【特許文献１】日本国特開２０１０−４０２０８号公報
【特許文献２】日本国特開２００４−３５９０２３号公報
【特許文献３】日本国特開２００５−７７３３４号公報
【発明の概要】
【発明が解決しようとする課題】
【０００６】
ソース線を両端から駆動する液晶表示装置には、ソース線の両端に異なる電圧が印加されたときに、液晶パネルやソースドライバが故障することがあるという問題がある。例えば、制御基板とソース基板の間で接続不良が発生したときや、ソースドライバが故障したときに、ソース線の一端に印加される電圧とソース線の他端に印加される電圧との間に大きな差が生じることがある。このとき、ソースドライバの出力端子に高い負荷がかかるためにソースドライバが故障し、最悪の場合には発煙や発火が起こることがある。【０００７】
一般に表示装置において接続不良や通信エラーが発生した場合には、表示画面が異常になるだけで済むことが多い。しかし、ソース線を両端から駆動する液晶表示装置では、破壊、発煙、発火など、表示画面の異常よりも深刻な損害が発生する可能性がある。【０００８】
特許文献１に記載されたバックライト装置によれば、複数のランプの異常を低コストで確実に検知することができる。しかし、特許文献１に記載された方法では、異常の発生を事後に検知できるだけで、異常の発生を事前に防止できない。【０００９】
それ故に、本発明は、ソース線を両端から駆動し、接続不良などが発生したときでも深刻な損害の発生を防止できる表示装置を提供することを目的とする。
【課題を解決するための手段】
【００１０】
本発明の第１の局面は、表示装置であって、
対向する２辺を有し、前記２辺から引き出された複数のソース線を含む表示パネルと、
前記ソース線を両端から駆動する複数のソースドライバと、
前記ソースドライバが前記ソース線を駆動するときに用いる電源電圧を出力する電源回路を含む１以上の制御基板と、
前記制御基板と前記ソースドライバとの間に設けられた２以上のソース基板とを備え、
前記電源回路は、前記ソース基板から前記制御基板に対して出力された信号に基づき、前記電源電圧を出力するか否かを切り替えることを特徴とする。【００１１】
本発明の第２の局面は、本発明の第１の局面において、
前記制御基板は、前記ソース基板に対して接続確認信号を出力し、
前記ソース基板は、前記制御基板から出力された接続確認信号を前記制御基板に対して出力し、
前記電源回路は、前記ソース基板から出力された接続確認信号が異常を示す場合には前記電源電圧の出力を停止することを特徴とする。【００１２】
本発明の第３の局面は、本発明の第２の局面において、
前記制御基板は、前記ソース基板に対して第１レベルを有する接続確認信号を出力し、前記ソース基板から出力された接続確認信号を第２レベルにプルアップまたはプルダウンすることを特徴とする。【００１３】
本発明の第４の局面は、本発明の第１の局面において、
前記ソースドライバは、駆動開始を指示するスタートパルスを順に転送するように多段接続され、
前記ソース基板は、最終段のソースドライバから出力されたスタートパルスを駆動完了信号として前記制御基板に対して出力し、
前記電源回路は、前記駆動完了信号に基づき、前記電源電圧を出力するか否かを切り替えることを特徴とする。【００１４】
本発明の第５の局面は、本発明の第４の局面において、
前記電源回路は、前記駆動完了信号が所定の周期で駆動完了を示さない場合には前記電源電圧の出力を停止することを特徴とする。【００１５】
本発明の第６の局面は、本発明の第５の局面において、
前記ソースドライバは、前段から前記スタートパルスが出力されたときには、対応するソース線を駆動し、後段に対して前記スタートパルスを出力することを特徴とする。【００１６】
本発明の第７の局面は、本発明の第１の局面において、
前記制御基板に対して接続確認信号を出力する複数のソース基板を備え、
前記電源回路は、前記複数のソース基板から出力された接続確認信号のいずれかが異常を示す場合には前記電源電圧の出力を停止することを特徴とする。【００１７】
本発明の第８の局面は、本発明の第７の局面において、
接続確認信号を順に転送し、電源制御信号を逆順に転送するように多段接続された複数の制御基板を備え、
最終段以外の制御基板は、前段および対応する基板から出力された接続確認信号がすべて正常を示す場合には、後段に対して正常を示す接続確認信号を出力し、
最終段の制御基板は、前段および対応する基板から出力された接続確認信号がすべて正常を示す場合には、正常を示す電源制御信号を出力し、
前記最終段以外の制御基板は、後段から出力された電源制御信号を前段に対して出力し、
前記制御基板上の電源回路は、前記電源制御信号が異常を示す場合には前記電源電圧の出力を停止することを特徴とする。【００１８】
本発明の第９の局面は、本発明の第１の局面において、
前記制御基板と前記ソース基板は、ケーブルを用いて接続されることを特徴とする。【００１９】
本発明の第１０の局面は、本発明の第１の局面において、
前記ソースドライバは、前記ソース基板と前記表示パネルとの間に設けられたフレキシブル基板上に実装されていることを特徴とする。【００２０】
本発明の第１１の局面は、本発明の第１の局面において、
前記表示パネルは、液晶パネルであることを特徴とする。【００２１】
本発明の第１２の局面は、対向する２辺を有し、前記２辺から引き出された複数のソース線を含む表示パネルと、前記ソース線を両端から駆動する複数のソースドライバと、前記ソースドライバが前記ソース線を駆動するときに用いる電源電圧を出力する電源回路を含む１以上の制御基板と、前記制御基板と前記ソースドライバとの間に設けられた２以上のソース基板とを有する表示装置の電源制御方法であって、
前記ソース基板から前記制御基板に対して信号を出力するステップと、
前記信号に基づき、前記電源回路が前記電源電圧を出力するか否かを切り替える電源制御ステップとを備える。【００２２】
本発明の第１３の局面は、本発明の第１２の局面において、
前記制御基板が、前記ソース基板に対して接続確認信号を出力するステップと、
前記ソース基板が、前記制御基板から出力された接続確認信号を前記制御基板に対して出力するステップとをさらに備え、
前記電源制御ステップにおいて、前記電源回路は、前記ソース基板から出力された接続確認信号が異常を示す場合には前記電源電圧の出力を停止することを特徴とする。【００２３】
本発明の第１４の局面は、本発明の第１２の局面において、
前記ソースドライバが、駆動開始を指示するスタートパルスを順に転送するように多段接続されている場合に、
前記ソース基板が、最終段のソースドライバから出力されたスタートパルスを駆動完了信号として前記制御基板に対して出力するステップをさらに備え、
前記電源制御ステップにおいて、前記電源回路は、前記駆動完了信号に基づき、前記電源電圧を出力するか否かを切り替えることを特徴とする。【００２４】
本発明の第１５の局面は、本発明の第１２の局面において、
前記表示装置が、前記制御基板に対して接続確認信号を出力する複数のソース基板を含む場合に、
前記電源制御ステップにおいて、前記電源回路は、前記複数のソース基板から出力された接続確認信号のいずれかが異常を示す場合には前記電源電圧の出力を停止することを特徴とする。
【発明の効果】
【００２５】
本発明の第１または第１２の局面によれば、ソース基板から制御基板に対して出力された信号に基づき、ソースドライバがソース線を駆動するときに用いる電源電圧を出力するか否かを切り替えることにより、ソース線の駆動に用いられる電源電圧の供給を異常時に停止することができる。したがって、ソース線を両端から駆動する表示装置において、接続不良などが発生したときでも深刻な損害の発生を防止することができる。【００２６】
本発明の第２または第１３の局面によれば、制御基板とソース基板の間で接続確認信号を交換することにより、制御基板とソース基板の間で接続不良が発生したことを検知することができる。接続不良を検知したときにはソース線の駆動に用いられる電源電圧の供給を停止することにより、深刻な損害の発生を防止することができる。【００２７】
本発明の第３の局面によれば、制御基板から第１レベルを有する接続確認信号を出力し、ソース基板から出力された接続確認信号を制御基板において第２レベルにプルアップまたはプルダウンすることにより、制御基板とソース基板の間で接続不良が発生したことを容易に検知することができる。【００２８】
本発明の第４または第１４の局面によれば、制御基板とソース基板の間で接続不良が発生したことや、ソースドライバが故障したことを検知することができる。接続不良やソースドライバの故障を検知したときにはソース線の駆動に用いられる電源電圧の供給を停止することにより、深刻な損害の発生を防止することができる。【００２９】
本発明の第５の局面によれば、駆動完了信号が所定の周期で駆動完了を示すか否かに基づき、ソースドライバの故障を検知することができる。【００３０】
本発明の第６の局面によれば、多段接続されたソースドライバが対応するすべてのソース線を駆動した後に、駆動完了信号は駆動完了を示す。このような駆動完了信号を用いて、ソースドライバの故障を検知することができる。【００３１】
本発明の第７または第１５の局面によれば、複数のソース基板を備えた表示装置において、制御基板といずれかのソース基板の間で接続不良が発生したことを検知することができる。接続不良を検知したときにはソース線の駆動に用いられる電源電圧の供給を停止することにより、深刻な損害の発生を防止することができる。【００３２】
本発明の第８の局面によれば、複数の制御基板を備えた表示装置において、いずれかの制御基板と対応する基板のいずれかとの間で接続不良が発生したことを検知することができる。接続不良を検知したときにはソース線の駆動に用いられる電源電圧の供給を停止することにより、深刻な損害の発生を防止することができる。【００３３】
本発明の第９の局面によれば、制御基板とソース基板をケーブルを用いて接続した表示装置において、接続不良などが発生したときでも深刻な損害の発生を防止することができる。【００３４】
本発明の第１０の局面によれば、ソースドライバをフレキシブル基板上に実装した表示装置において、接続不良などが発生したときでも深刻な損害の発生を防止することができる。【００３５】
本発明の第１１の局面によれば、ソース線を両端から駆動する液晶表示装置において、接続不良などが発生したときでも深刻な損害の発生を防止することができる。
【図面の簡単な説明】
【００３６】
【図１】本発明の第１の実施形態に係る液晶表示装置の構成を示す図である。
【図２】図１に示す液晶表示装置における接続確認信号を示す図である。
【図３】図１に示す液晶表示装置における電源制御方法を示す図である。
【図４Ａ】図１に示す液晶表示装置の正常時の状態を示す図である。
【図４Ｂ】図１に示す液晶表示装置の接続不良時の状態を示す図である。
【図５】本発明の第２実施形態に係る液晶表示装置における電源制御方法を示す図である。
【図６Ａ】第２の実施形態に係る液晶表示装置の正常時の状態を示す図である。
【図６Ｂ】第２の実施形態に係る液晶表示装置の接続不良時の状態を示す図である。
【図６Ｃ】第２の実施形態に係る液晶表示装置のソースドライバ故障時の状態を示す図である。
【図７】本発明の第３の実施形態に係る液晶表示装置における電源制御方法を示す図である。
【図８】第３の実施形態の変形例に係る液晶表示装置における電源制御方法を示す図である。
【発明を実施するための形態】
【００３７】
（第１の実施形態）
図１は、本発明の第１の実施形態に係る液晶表示装置の構成を示す図である。図１に示す液晶表示装置１０は、液晶パネル１１、制御基板１２、複数のソース基板１３、複数のフレキシブルフラットケーブル（Flexible Flat Cable ：以下、ＦＦＣという）１４、複数のフレキシブル基板１５、複数のソースドライバ１６、および、ゲートドライバ（図示せず）を備えている。なお、図１ではソース基板１３の枚数は４枚、ＦＦＣ１４の本数は４本、フレキシブル基板１５の枚数は１６枚、ソースドライバ１６の個数は１６個であるが、これらの値は任意でよい。
【００３８】
液晶パネル１１は、上辺、下辺、左辺、および、右辺を有する表示パネルである。上辺と下辺は互いに対向し、左辺と右辺は互いに対向する。液晶パネル１１は、複数のゲート線（図示せず）、複数のソース線１７、および、複数の画素回路（図示せず）を含んでいる。ゲート線は、液晶パネル１１の上辺および下辺と平行に配置される。ソース線１７は、液晶パネルの左辺および右辺と平行に配置される。画素回路は、ゲート線とソース線１７の交点に対応して配置される。
【００３９】
制御基板１２とソース基板１３は、ＦＦＣ１４を用いて接続される。液晶パネル１１とソース基板１３は、フレキシブル基板１５を用いて接続される。液晶パネル１１とフレキシブル基板１５は圧着接続され、ソース基板１３とフレキシブル基板１５も圧着接続される。ソースドライバ１６は、フレキシブル基板１５上に実装される。このようにソース基板１３は、制御基板１２とソースドライバ１６の間に設けられる。
【００４０】
ゲートドライバは、ゲート線を駆動する。例えば、液晶パネル１１の左辺と右辺に沿って２個のゲートドライバを設け、２個のゲートドライバがゲート線を両端から駆動してもよい。あるいは、ゲート線を左端または右端から駆動する１個のゲートドライバを、液晶パネル１１の左辺または右辺に沿って設けてもよい。あるいは、ゲート線は液晶パネル１１の中央で左右に分割されており、左半分のゲート線を左端から駆動するゲートドライバを液晶パネル１１の左辺に沿って設け、右半分のゲート線を右端から駆動するゲートドライバを液晶パネル１１の右辺に沿って設けてもよい。
【００４１】
ソースドライバ１６は、ソース線１７を両端から駆動する。より詳細には、ソース線１７は、液晶パネル１１の上辺と下辺から引き出される。ソース線１７の上端は液晶パネル１１の上辺側に設けられたソースドライバ１６に接続され、ソース線１７の下端は液晶パネル１１の下辺側に設けられたソースドライバ１６に接続される。各ソース線１７は、２個のソースドライバ１６を用いて両端から駆動される。
【００４２】
制御基板１２には、電源回路やタイミング制御回路（いずれも図示せず）などが実装される。以下、制御基板１２上に実装され、ソースドライバ１６がソース線１７を駆動するときに用いる電源電圧を出力する電源回路に着目する。タイミング制御回路は、ゲートドライバに対して制御信号を供給し、ソースドライバ１６に対して制御信号と映像信号を供給する。制御基板１２上の回路からソースドライバ１６に供給される信号や電源電圧は、制御基板１２からＦＦＣ１４、ソース基板１３、フレキシブル基板１５を経由してソースドライバ１６に到達する。
【００４３】
なお、図１では、制御基板１２は２本のＦＦＣ１４を介して２枚のソース基板１３だけに接続するように記載されているが、実際には、制御基板１２は他の２本のＦＦＣ１４を介して他の２枚のソース基板１３にも接続される（図１の破線部を参照）。
【００４４】
図２は、液晶表示装置１０における接続確認信号を示す図である。図２には、図１のＡ部が拡大して記載されている。以下に示す図面において、斜線部は制御基板１２またはソース基板１３に設けられたコネクタを表す。図２に示すように、制御基板１２は、ソース基板１３に対してＦＦＣ１４経由で接続確認信号Ｓ１を出力する。ソース基板１３は、制御基板１２に対してＦＦＣ１４経由で接続確認信号Ｓ２を出力する。ソース基板１３では、接続確認信号Ｓ１と接続確認信号Ｓ２は短絡される。このようにソース基板１３は、制御基板１２から出力された接続確認信号Ｓ１をそのまま接続確認信号Ｓ２として制御基板１２に出力する。制御基板１２から接続確認信号Ｓ１を出力するときと、ソース基板１３から接続確認信号Ｓ２を出力するときとでは、異なる端子が使用される。
【００４５】
図３は、液晶表示装置１０における電源制御方法を示す図である。図３に示すように、制御基板１２では、接続確認信号Ｓ１にハイレベル電圧（ここでは、３．３Ｖ）が印加される。制御基板１２から出力された接続確認信号Ｓ１は、接続確認信号Ｓ２としてそのままソース基板１３から出力される。制御基板１２は、電源回路１８とプルダウン回路１９を含んでいる。接続確認信号Ｓ２は、電源回路１８の制御端子ＣＮＴに供給されると共に、プルダウン回路１９に接続される。電源回路１８は、ソース基板１３から出力された接続確認信号Ｓ２に基づき、ソースドライバ１６がソース線１７を駆動するときに用いる電源電圧Ｖａを出力するか否かを切り替える。より詳細には、電源回路１８は、接続確認信号Ｓ２がハイレベルの場合には電源電圧Ｖａを出力し、接続確認信号Ｓ２がローレベルの場合には電源電圧Ｖａの出力を停止する。
【００４６】
図４Ａは、液晶表示装置１０の正常時の状態を示す図である。制御基板１２とソース基板１３が正しく接続されている場合、接続確認信号Ｓ２はハイレベル（電圧は３．３Ｖ）になる。この場合、電源回路１８は、ハイレベルの接続確認信号Ｓ２に基づき、ソースドライバ１６がソース線１７を駆動するときに用いる電源電圧Ｖａを出力する。電源回路１８から出力された電源電圧Ｖａは、ＦＦＣ１４とソース基板１３を経由して、ソースドライバ１６や液晶パネル１１に供給される。
【００４７】
図４Ｂは、液晶表示装置１０の接続不良時の状態を示す図である。例えば、ＦＦＣ１４がコネクタに正しく挿入されていない場合に、制御基板１２とソース基板１３の間で接続不良が発生する。この場合、接続確認信号Ｓ２は、プルダウン回路１９の作用によってローレベル（電圧は０Ｖ）になる。電源回路１８は、ローレベルの接続確認信号Ｓ２に基づき、ソースドライバ１６がソース線１７を駆動するときに用いる電源電圧Ｖａの出力を停止する。このとき電源電圧Ｖａがソースドライバ１６や液晶パネル１１に供給されないので、ソースドライバ１６に過電流は流れない。したがって、制御基板１２とソース基板１３の間で接続不良が発生した場合に、ソースドライバ１６の発煙や発火を防止し、液晶パネル１１の故障を防止することができる。
【００４８】
また、液晶表示装置１０の生産工程において作業ミスによる液晶パネル１１の故障を防止できるので、液晶表示装置１０の歩留まりを向上させることができる。また、信号の電圧レベルを監視するだけよいので、制御基板１２上のタイミング制御回路とソースドライバ１６の間の通信方式にかかわらず、各種の表示装置に容易に適用することができる。
【００４９】
以上に示すように、本実施形態に係る液晶表示装置１０は、対向する２辺（上辺と下辺）を有し、２辺から引き出された複数のソース線１７を含む表示パネル（液晶パネル１１）と、ソース線１７を両端から駆動する複数のソースドライバ１６と、ソースドライバ１６がソース線１７を駆動するときに用いる電源電圧Ｖａを出力する電源回路１８を含む制御基板１２と、制御基板１２とソースドライバ１６との間に設けられた複数のソース基板１３とを備えている。電源回路１８は、ソース基板１３から制御基板１２に対して出力された信号（接続確認信号Ｓ２）に基づき、電源電圧Ｖａを出力するか否かを切り替える。このようにソース基板から制御基板に対して出力された信号に基づき、ソースドライバがソース線を駆動するときに用いる電源電圧を出力するか否かを切り替えることにより、ソース線の駆動に用いられる電源電圧の供給を異常時に停止することができる。したがって、ソース線を両端から駆動する液晶表示装置において、接続不良などが発生したときでも深刻な損害の発生を防止することができる。
【００５０】
また、制御基板１２はソース基板１３に対して第１レベル（ハイレベル）を有する接続確認信号Ｓ１を出力し、ソース基板１３は制御基板１２から出力された接続確認信号Ｓ１を制御基板１２に対して出力し、制御基板１２はソース基板１３から出力された接続確認信号を第２レベル（ローレベル）にプルダウンする。電源回路１８は、ソース基板１３から出力された接続確認信号Ｓ２が異常を示す場合（ローレベルの場合）には、ソースドライバ１６がソース線１７を駆動するときに用いる電源電圧Ｖａの出力を停止する。このように制御基板とソース基板の間で接続確認信号を交換することにより、制御基板とソース基板の間で接続不良が発生したことを検知することができる。特に、制御基板から第１レベルを有する接続確認信号を出力し、ソース基板から出力された接続確認信号を制御基板において第２レベルにプルダウンすることにより、制御基板とソース基板の間で接続不良が発生したことを容易に検知することができる。
【００５１】
また、制御基板１２とソース基板１３はケーブル（ＦＦＣ１４）を用いて接続され、ソースドライバ１６はソース基板１３と表示パネルとの間に設けられたフレキシブル基板１５上に実装されている。このように制御基板とソース基板をケーブルを用いて接続した液晶表示装置や、ソースドライバをフレキシブル基板上に実装した液晶表示装置において、接続不良などが発生したときでも、深刻な損害の発生を防止することができる。
【００５２】
なお、以上の説明では、制御基板１２は、ハイレベルの接続確認信号Ｓ１を出力し、接続確認信号Ｓ２をローレベルにプルダウンすることとした。これに代えて、制御基板１２は、ローレベルの接続確認信号Ｓ１を出力し、接続確認信号Ｓ２をハイレベルにプルアップしてもよい。この変形例では、電源回路１８は、接続確認信号Ｓ２がハイレベルの場合に、ソースドライバ１６がソース線１７を駆動するときに用いる電源電圧Ｖａの出力を停止する。
【００５３】
（第２の実施形態）
本発明の第２の実施形態に係る液晶表示装置は、第１の実施形態に係る液晶表示装置１０と同様の構成（図１）を有する。ただし、本実施形態に係る液晶表示装置は、制御基板１２およびソース基板１３に代えて、図５に示す制御基板２１およびソース基板２２を備えている。以下、各実施形態の構成要素のうち、先に述べた実施形態と同一の要素については、同一の参照符号を付して説明を省略する。
【００５４】
図５は、本実施形態に係る液晶表示装置における電源制御方法を示す図である。図５には、液晶パネルの左上部分に設けられたソース基板２２と、その周辺回路とが記載されている。ソース基板２２は、４枚のフレキシブル基板１５ａ〜１５ｄに接続される。フレキシブル基板１５ａ〜１５ｄ上には、それぞれ、ソースドライバ１６ａ〜１６ｄが実装される。
【００５５】
ソースドライバ１６ａ〜１６ｄは、駆動開始を指示するスタートパルスを順に転送するように多段接続される。より詳細には、ソースドライバ１６ａ〜１６ｄは、それぞれ、スタートパルスを入力するための第１端子と、スタートパルスを出力するための第２端子とを有する。ソースドライバ１６ａの第１端子には、ソース基板２２上で生成されたスタートパルスＳ３０が与えられる。ソースドライバ１６ａ〜１６ｃの第２端子は、それぞれ、ソースドライバ１６ｂ〜１６ｄの第１端子に接続される。なお、本実施形態に係る液晶表示装置では、ソースドライバ１６ａ〜１６ｄのデジタル回路部が動作するためのデジタル電源は、図示しない方法でソースドライバ１６ａ〜１６ｄに供給される。
【００５６】
以下、ソースドライバ１６ａ〜１６ｃから出力されたスタートパルスをそれぞれＳ３１〜Ｓ３３といい、ソースドライバ１６ｄから出力されたスタートパルスを駆動完了信号Ｓ４という。また、スタートパルスＳ３０〜Ｓ３３は駆動開始を指示するときにハイレベルになり、駆動完了信号Ｓ４は駆動完了を示すときにはハイレベルになるとする。
【００５７】
ソースドライバ１６ａは、ソース基板２２からハイレベルのスタートパルスＳ３０が出力されたときには、液晶パネル上の対応するソース線（図示せず）を駆動し、ソースドライバ１６ｂに対してハイレベルのスタートパルスＳ３１を出力する。ソースドライバ１６ｂ、１６ｃは、ソースドライバ１６ａと同様に動作する。最終段のソースドライバ１６ｄは、ソースドライバ１６ｃからハイレベルのスタートパルスＳ３３が出力されたときには、対応するソース線を駆動し、ハイレベルの駆動完了信号Ｓ４を出力する。駆動完了信号Ｓ４は、ソースドライバ１６ａ〜１６ｄによるソース線の駆動がすべて完了したときにハイレベルになる。
【００５８】
ソース基板２２は、最終段のソースドライバ１６ｄから出力された駆動完了信号Ｓ４を制御基板２１に対してＦＦＣ１４経由で出力する。駆動完了信号Ｓ４は、制御基板２１上の制御回路２３に供給される。制御回路２３は、駆動完了信号Ｓ４や他の制御信号（図示せず）に基づき、電源回路１８の制御端子ＣＮＴに供給する電源制御信号Ｓ５を出力する。制御回路２３は、駆動完了信号Ｓ４が所定の周期で（例えば、１ライン時間ごとに）ハイレベルになる場合には正常を示すハイレベルの電源制御信号Ｓ５を出力し、それ以外の場合には異常を示すローレベルの電源制御信号Ｓ５を出力する。電源回路１８は、電源制御信号Ｓ５がハイレベルの場合には、ソースドライバ１６ａ〜１６ｄがソース線を駆動するときに用いる電源電圧Ｖａを出力し、電源制御信号Ｓ５がローレベルの場合には電源電圧Ｖａの出力を停止する。
【００５９】
図６Ａは、本実施形態に係る液晶表示装置の正常時の状態を示す図である。制御基板２１とソース基板２２が正しく接続されており、かつ、ソースドライバ１６ａ〜１６ｄがすべて正常に動作している場合には、駆動完了信号Ｓ４は所定の周期でハイレベルになり、電源制御信号Ｓ５はハイレベルになる。この場合、電源回路１８は、ハイレベルの電源制御信号Ｓ５に基づき、ソースドライバ１６ａ〜１６ｄがソース線を駆動するときに用いる電源電圧Ｖａを出力する。電源回路１８から出力された電源電圧Ｖａは、ＦＦＣ１４とソース基板２２を経由して、ソースドライバ１６ａ〜１６ｄや液晶パネルに供給される。
【００６０】
図６Ｂは、本実施形態に係る液晶表示装置の接続不良時の状態を示す図である。図６Ｃは、本実施形態に係る液晶表示装置のソースドライバ故障時の状態を示す図である。図６Ｃには、ソースドライバ１６ｂが故障したときの状態が記載されている。制御基板２１とソース基板２２の間で接続不良が発生した場合（図６Ｂ）には、駆動完了信号Ｓ４はローレベルになり、電源制御信号Ｓ５もローレベルになる。ソースドライバ１６ａ〜１６ｄのいずれかが故障した場合（図６Ｃ）も、これと同様である。これらの場合、電源回路１８は、ローレベルの電源制御信号Ｓ５に基づき、ソースドライバ１６がソース線１７を駆動するときに用いる電源電圧Ｖａの出力を停止する。このとき電源電圧Ｖａがソースドライバ１６ａ〜１６ｄや液晶パネルに供給されないので、ソースドライバ１６ａ〜１６ｄに過電流は流れない。
【００６１】
したがって、第１の実施形態と同様に、制御基板２１とソース基板２２の間で接続不良が発生した場合に、ソースドライバ１６ａ〜１６ｄの発煙や発火を防止し、液晶パネルの故障を防止することができる。これに加えて、ソースドライバ１６ａ〜１６ｄのいずれかが故障した場合にも、ソースドライバ１６ａ〜１６ｄの発煙や発火を防止し、液晶パネルの故障を防止することができる。
【００６２】
以上に示すように、本実施形態に係る表示装置では、ソースドライバ１６ａ〜１６ｄは駆動開始を指示するスタートパルスを順に転送するように多段接続され、ソース基板２２は最終段のソースドライバ１６ｄから出力されたスタートパルスを駆動完了信号Ｓ４として制御基板２１に対して出力し、電源回路１８は駆動完了信号Ｓ４に基づき、ソースドライバ１６ａ〜１６ｄがソース線を駆動するときに用いる電源電圧Ｖａを出力するか否かを切り替える。したがって、制御基板とソース基板の間で接続不良が発生したことや、ソースドライバが故障したことを検知することができる。接続不良やソースドライバの故障を検知したときにはソース線の駆動に用いられる電源電圧の供給を停止することにより、深刻な損害の発生を防止することができる。
【００６３】
また、電源回路１８は、駆動完了信号Ｓ４が所定の周期で駆動完了を示さない場合には、ソースドライバ１６ａ〜１６ｄがソース線を駆動するときに用いる電源電圧Ｖａの出力を停止する。このように駆動完了信号が所定の周期で駆動完了を示すか否かに基づき、ソースドライバの故障を検知することができる。また、ソースドライバ１６ａ〜１６ｄは、前段からスタートパルスが出力されたときには、対応するソース線を駆動し、後段に対してスタートパルスを出力する。したがって、多段接続されたソースドライバが対応するすべてのソース線を駆動した後に、駆動完了信号は駆動完了を示す。このような駆動完了信号を用いて、ソースドライバの故障を検知することができる。
【００６４】
なお、以上の説明では、スタートパルスＳ３０〜Ｓ３３は駆動開始を示すときにハイレベルになり、駆動完了信号Ｓ４は駆動完了を示すときにハイレベルになり、電源制御信号Ｓ５は正常を示すときハイレベルになることとした。スタートパルスＳ３０〜Ｓ３３、駆動完了信号Ｓ４、および、電源制御信号Ｓ５の極性は、上記の例の逆でもよい。
【００６５】
（第３の実施形態）
本発明の第３の実施形態に係る液晶表示装置は、第１の実施形態に係る液晶表示装置１０と同様の構成（図１）を有する。ただし、本実施形態に係る液晶表示装置は、制御基板１２に代えて、図７に示す制御基板３１を備えている。
【００６６】
図７は、本実施形態に係る液晶表示装置における電源制御方法を示す図である。図７に示す制御基板３１は、複数のゲート基板と複数のソース基板（いずれも図示せず）に接続して使用される。制御基板３１は、複数のコネクタ（斜線部）、４個のＦＰＧＡ（Field Programmable Gate Array ）３２ａ〜３２ｄ、ＣＰＬＤ（Complex Programmable Logic Device ）３３、および、電源回路１８を含んでいる。図７ではコネクタの個数は１２個であるが、この値は任意でよい。
【００６７】
制御基板３１に接続されるゲート基板とソース基板は、ハイレベルの接続確認信号を出力する。ゲート基板とソース基板から出力された接続確認信号は、コネクタを経由してＦＰＧＡ３２ａ〜３２ｄに入力される。図７には、ゲート基板とソース基板から出力された２８個の接続確認信号が記載されている。符号「Ｇ」を付した信号はゲート基板から出力された接続確認信号を示し、符号「Ｓ」を付した信号はソース基板から出力された接続確認信号を示す。また、符号「ＰＵ」を付した信号はプルアップされた信号（電圧は３．３Ｖ）を示す。接続確認信号は、制御基板３１上に設けられたプルダウン回路（図示せず）に接続される。このため、接続確認信号は、正常時にはハイレベルになり、異常時にはローレベルになる。
【００６８】
ＦＰＧＡ３２ａには、ゲート基板から出力された２本の接続確認信号と、ソース基板から出力された６本の接続確認信号が入力される。ＦＰＧＡ３２ａは、これら８本の接続確認信号がすべてのハイレベルの場合にはハイレベルの接続確認信号Ｓ６１を出力し、それ以外の場合にはローレベルの接続確認信号Ｓ６１を出力する。ＦＰＧＡ３２ｂには、接続確認信号Ｓ６１と、ソース基板から出力された６本の接続確認信号とが入力される。ＦＰＧＡ３２ｂは、これら７本の接続確認信号がすべてハイレベルの場合にはハイレベルの接続確認信号Ｓ６２を出力し、それ以外の場合にはローレベルの接続確認信号Ｓ６２を出力する。ＦＰＧＡ３２ｄはＦＰＧＡ３２ａと同様に動作し、ＦＰＧＡ３２ｃはＦＰＧＡ３２ｂと同様に動作する。
【００６９】
ＣＰＬＤ３３は、接続確認信号Ｓ６２、Ｓ６３が両方ともハイレベルの場合には正常を示すハイレベルの電源制御信号Ｓ７を出力し、それ以外の場合には異常を示すローレベルの電源制御信号Ｓ７を出力する。電源回路１８は、電源制御信号Ｓ７がハイレベルの場合には、ソースドライバがソース線を駆動するときに用いる電源電圧を出力し、電源制御信号Ｓ７がローレベルの場合には、ソースドライバがソース線を駆動するときに用いる電源電圧の出力を停止する。
【００７０】
本実施形態に係る液晶表示装置では、制御基板３１と複数の基板（ゲート基板とソース基板）を接続する場合に、制御基板３１とすべての基板が正しく接続されているか否かを調べる。制御基板３１とすべての基板が正しく接続されている場合には、電源制御信号Ｓ７はハイレベルになり、電源回路１８はソースドライバがソース線を駆動するときに用いる電源電圧を出力する。制御基板３１といずれかの基板との間で接続不良などが発生した場合には、電源制御信号Ｓ７はローレベルになり、電源回路１８はソースドライバがソース線を駆動するときに用いる電源電圧の出力を停止する。
【００７１】
以上に示すように、本実施形態に係る液晶表示装置は、制御基板３１に対して接続確認信号を出力する複数のソース基板を備えている。電源回路１８は、複数のソース基板から出力された接続確認信号のいずれかが異常を示す場合には、ソースドライバがソース線を駆動するときに用いる電源電圧の出力を停止する。したがって、複数のソース基板を備えた液晶表示装置において、制御基板といずれかのソース基板の間で接続不良が発生したことを検知することができる。接続不良を検知したときにはソース線の駆動に用いられる電源電圧の供給を停止することにより、深刻な損害の発生を防止することができる。
【００７２】
なお、以上の説明では、ゲート基板とソース基板はハイレベルの接続確認信号を出力し、制御基板３１はこれらの基板から出力された接続確認信号をローレベルにプルダウンすることとした。これに代えて、ゲート基板とソース基板はローレベルの接続確認信号を出力し、制御基板３１はこれらの基板から出力された接続確認信号をハイレベルにプルアップしてもよい。また、接続確認信号Ｓ６１〜Ｓ６４、および、電源制御信号Ｓ７の極性は、上記の例と逆でもよい。
【００７３】
本実施形態に係る液晶表示装置については、以下の変形例を構成することができる。図８は、本実施形態の変形例に係る液晶表示装置における電源制御方法を示す図である。本変形例に係る液晶表示装置は、４枚の制御基板４１ａ〜４１ｄを備えている。
【００７４】
制御基板４１ａは、図７に示す制御基板３１と同様の構成を有する。制御基板４１ａは、複数のコネクタ（斜線部）、複数のＦＰＧＡ（図示せず）、ＣＰＬＤ４２ａ、および、電源回路１８を含み、複数のゲート基板とソース基板（いすれも図示せず）に接続される。ゲート基板とソース基板は、それぞれ、制御基板４１ａに対してハイレベルの接続確認信号を出力する。制御基板４１ｂ〜４１ｄは、制御基板４１ａと同様の構成を有する。
【００７５】
制御基板４１ａ〜４１ｄは、接続確認信号を順に転送し、電源制御信号を逆順に転送するように多段接続される。最終段以外の制御基板４１ａ〜４１ｃは、前段および対応する基板から出力された接続確認信号がすべて正常を示す場合には、後段に対して正常を示す接続確認信号を出力する。最終段の制御基板４１ｄは、前段および対応する基板から出力された接続確認信号がすべて正常を示す場合には、正常を示す電源制御信号Ｓ９を出力する。最終段以外の制御基板４１ａ〜４１ｃは、後段から出力された電源制御信号Ｓ９を前段に対して出力する。
【００７６】
より詳細には、制御基板４１ａ上のＣＰＬＤ４２ａは、対応する基板から出力された複数の接続確認信号がすべてハイレベルの場合にはハイレベルの接続確認信号Ｓ８１を出力し、それ以外の場合にはローレベルの接続確認信号Ｓ８１を出力する。制御基板４１ｂ上のＣＰＬＤ４２ｂは、接続確認信号Ｓ８１と対応する基板から出力された複数の接続確認信号とがすべてハイレベルの場合にはハイレベルの接続確認信号Ｓ８２を出力し、それ以外の場合にはローレベルの接続確認信号Ｓ８２を出力する。制御基板４１ｃ上のＣＰＬＤ４２ｃは、ＣＰＬＤ４２ｂと同様に動作する。制御基板４１ｄ上のＣＰＬＤ４２ｄは、接続確認信号Ｓ８３と対応する基板から出力された複数の接続確認信号とがすべてハイレベルの場合にはハイレベルの電源制御信号Ｓ９を出力し、それ以外の場合にはローレベルの電源制御信号Ｓ９を出力する。ＣＰＬＤ４２ｄから出力された電源制御信号Ｓ９は、ＣＰＬＤ４２ｃ、４２ｂ、４２ａの順に転送される。
【００７７】
制御基板４１ａ〜４１ｄ上の電源回路１８は、それぞれ、ＣＰＬＤ４２ａ〜４２ｄから出力された電源制御信号Ｓ９に基づき動作する。電源回路１８は、電源制御信号Ｓ９がハイレベルの場合には、ソースドライバがソース線を駆動するときに用いる電源電圧を出力し、電源制御信号Ｓ９がローレベルの場合には、ソースドライバがソース線を駆動するときに用いる電源電圧の出力を停止する。
【００７８】
本変形例に係る液晶表示装置では、電源制御信号Ｓ９は、４枚の制御基板４１ａ〜４１ｄと対応する基板がすべて正しく接続されている場合にハイレベルになり、それ以外の場合にはローレベルになる。したがって、複数の制御基板を備えた液晶表示装置において、いずれかの制御基板と対応する基板のいずれかとの間で接続不良が発生したことを検知することができる。接続不良を検知したときにはソース線の駆動に用いられる電源電圧の供給を停止することにより、深刻な損害の発生を防止することができる。
【００７９】
なお、本発明は、表示パネルのソース線を両端から駆動する液晶表示装置だけでなく、液晶表示装置以外の表示装置にも適用することができる。
【００８０】
なお、本願は、２０１５年８月２７日に出願された「表示装置およびその電源制御方法」という名称の日本国特願２０１５−１６７３８０号に基づく優先権を主張する出願であり、この出願の内容は引用することによって本願の中に含まれる。
【産業上の利用可能性】
【００８１】
本発明の表示装置は、ソース線を両端から駆動し、接続不良などが発生したときでも深刻な損害の発生を防止できるという特徴を有するので、液晶表示装置など各種の表示装置に利用することができる。
【符号の説明】
【００８２】
１０…液晶表示装置
１１…液晶パネル
１２、２１、３１、４１…制御基板
１３、２２…ソース基板
１４…ＦＦＣ
１５…フレキシブル基板
１６…ソースドライバ
１７…ソース線
１８…電源回路
１９…プルダウン回路
２３…制御回路
３２…ＦＰＧＡ
３３、４２…ＣＰＬＤ
【図１】
2017033844.tif 000003
【図２】
2017033844.tif 000004
【図３】
2017033844.tif 000005
【図４Ａ】
2017033844.tif 000006
【図４Ｂ】
2017033844.tif 000007
【図５】
2017033844.tif 000008
【図６Ａ】
2017033844.tif 000009
【図６Ｂ】
2017033844.tif 000010
【図６Ｃ】
2017033844.tif 000011
【図７】
2017033844.tif 000012
【図８】
2017033844.tif 000013
【手続補正書】
【提出日】平成30年2月1日(2018.2.1)
【手続補正１】
【補正対象書類名】明細書
【補正対象項目名】００１０
【補正方法】削除
【補正の内容】
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
本発明の第１の局面は、表示装置であって、
対向する２辺を有し、前記２辺から引き出された複数のソース線を含む表示パネルと、
前記ソース線を両端から駆動する複数のソースドライバと、
前記ソースドライバが前記ソース線を駆動するときに用いる電源電圧を出力する電源回路を含む１以上の制御基板と、
前記制御基板と前記ソースドライバとの間に設けられた複数のソース基板とを備え、
前記ソースドライバは、駆動開始を指示するスタートパルスを順に転送するように多段接続され、
前記ソース基板は、最終段のソースドライバから出力されたスタートパルスを駆動完了信号として前記制御基板に対して出力し、
前記電源回路は、前記駆動完了信号に基づき、前記電源電圧を出力するか否かを切り替えることを特徴とする。
【手続補正５】
【補正対象書類名】明細書
【補正対象項目名】００１４
【補正方法】変更
【補正の内容】
【００１４】
本発明の第２の局面は、本発明の第１の局面において、
前記電源回路は、前記駆動完了信号が所定の周期で駆動完了を示さない場合には前記電源電圧の出力を停止することを特徴とする。
【手続補正６】
【補正対象書類名】明細書
【補正対象項目名】００１５
【補正方法】変更
【補正の内容】
【００１５】
本発明の第３の局面は、本発明の第２の局面において、
前記ソースドライバは、前段から前記スタートパルスが出力されたときには、対応するソース線を駆動し、後段に対して前記スタートパルスを出力することを特徴とする。
【手続補正７】
【補正対象書類名】明細書
【補正対象項目名】００１６
【補正方法】変更
【補正の内容】
【００１６】
本発明の第４の局面は、表示装置であって、
対向する２辺を有し、前記２辺から引き出された複数のソース線を含む表示パネルと、
前記ソース線を両端から駆動する複数のソースドライバと、
前記ソースドライバが前記ソース線を駆動するときに用いる電源電圧を出力する電源回路を含む１以上の制御基板と、
前記制御基板と前記ソースドライバとの間に設けられ、前記制御基板に対して接続確認信号を出力する複数のソース基板とを備え、
前記電源回路は、前記複数のソース基板から出力された接続確認信号のいずれかが異常を示す場合には前記電源電圧の出力を停止することを特徴とする。
【手続補正８】
【補正対象書類名】明細書
【補正対象項目名】００１７
【補正方法】変更
【補正の内容】
【００１７】
本発明の第５の局面は、本発明の第４の局面において、
前記１以上の制御基板として、接続確認信号を順に転送し、電源制御信号を逆順に転送するように多段接続された複数の制御基板を備え、
最終段以外の制御基板は、前段および対応する基板から出力された接続確認信号がすべて正常を示す場合には、後段に対して正常を示す接続確認信号を出力し、
最終段の制御基板は、前段および対応する基板から出力された接続確認信号がすべて正常を示す場合には、正常を示す電源制御信号を出力し、
前記最終段以外の制御基板は、後段から出力された電源制御信号を前段に対して出力し、
前記制御基板上の電源回路は、前記電源制御信号が異常を示す場合には前記電源電圧の出力を停止することを特徴とする。
本発明の第６の局面は、表示装置であって、
対向する２辺を有し、前記２辺から引き出された複数のソース線を含む表示パネルと、
前記ソース線を両端から駆動する複数のソースドライバと、
前記ソースドライバが前記ソース線を駆動するときに用いる電源電圧を出力する電源回路を含む１以上の制御基板と、
前記制御基板と前記ソースドライバとの間に設けられた複数のソース基板とを備え、
前記制御基板は、前記ソース基板に対して第１接続確認信号を出力し、
前記ソース基板は、前記制御基板から出力された第１接続確認信号をそのまま第２接続確認信号として前記制御基板に対して出力し、
前記電源回路は、前記ソース基板から出力された第２接続確認信号が異常を示す場合には前記電源電圧の出力を停止することを特徴とする。
本発明の第７の局面は、本発明の第６の局面において、
前記制御基板は、前記ソース基板に対して第１レベルを有する第１接続確認信号を出力し、前記ソース基板から出力された第２接続確認信号を第２レベルにプルアップまたはプルダウンすることを特徴とする。
【手続補正９】
【補正対象書類名】明細書
【補正対象項目名】００１８
【補正方法】変更
【補正の内容】
【００１８】
本発明の第８の局面は、本発明の第１、第４および第６のいずれかの局面において、
前記制御基板と前記ソース基板は、ケーブルを用いて接続されることを特徴とする。
【手続補正１０】
【補正対象書類名】明細書
【補正対象項目名】００１９
【補正方法】変更
【補正の内容】
【００１９】
本発明の第９の局面は、本発明の第１、第４および第６のいずれかの局面において、
前記ソースドライバは、前記ソース基板と前記表示パネルとの間に設けられたフレキシブル基板上に実装されていることを特徴とする。
【手続補正１１】
【補正対象書類名】明細書
【補正対象項目名】００２０
【補正方法】変更
【補正の内容】
【００２０】
本発明の第１０の局面は、本発明の第１、第４および第６のいずれかの局面において、
前記表示パネルは、液晶パネルであることを特徴とする。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
本発明の第１１の局面は、対向する２辺を有し、前記２辺から引き出された複数のソース線を含む表示パネルと、前記ソース線を両端から駆動する複数のソースドライバと、前記ソースドライバが前記ソース線を駆動するときに用いる電源電圧を出力する電源回路を含む１以上の制御基板と、前記制御基板と前記ソースドライバとの間に設けられた複数のソース基板とを有する表示装置の電源制御方法であって、
前記ソースドライバは、駆動開始を指示するスタートパルスを順に転送するように多段接続されており、
前記ソース基板が、最終段のソースドライバから出力されたスタートパルスを駆動完了信号として前記制御基板に対して出力するステップと、
前記電源回路が、前記駆動完了信号に基づき、前記電源電圧を出力するか否かを切り替えるステップとを備える。
【手続補正１５】
【補正対象書類名】明細書
【補正対象項目名】００２４
【補正方法】変更
【補正の内容】
【００２４】
本発明の第１２の局面は、対向する２辺を有し、前記２辺から引き出された複数のソース線を含む表示パネルと、前記ソース線を両端から駆動する複数のソースドライバと、前記ソースドライバが前記ソース線を駆動するときに用いる電源電圧を出力する電源回路を含む１以上の制御基板と、前記制御基板と前記ソースドライバとの間に設けられた複数のソース基板とを有する表示装置の電源制御方法であって、
前記複数のソース基板が、前記制御基板に対して接続確認信号を出力するステップと、
前記電源回路が、前記複数のソース基板から出力された接続確認信号のいずれかが異常を示す場合には前記電源電圧の出力を停止するステップとを備える。
本発明の第１３の局面は、対向する２辺を有し、前記２辺から引き出された複数のソース線を含む表示パネルと、前記ソース線を両端から駆動する複数のソースドライバと、前記ソースドライバが前記ソース線を駆動するときに用いる電源電圧を出力する電源回路を含む１以上の制御基板と、前記制御基板と前記ソースドライバとの間に設けられた複数のソース基板とを有する表示装置の電源制御方法であって、
前記制御基板が、前記ソース基板に対して第１接続確認信号を出力するステップと、
前記ソース基板が、前記制御基板から出力された第１接続確認信号をそのまま第２接続確認信号として前記制御基板に対して出力するステップと、
前記電源回路が、前記ソース基板から出力された第２接続確認信号が異常を示す場合には前記電源電圧の出力を停止するステップとを備える。
【手続補正１６】
【補正対象書類名】明細書
【補正対象項目名】００２５
【補正方法】変更
【補正の内容】
【００２５】
本発明の第１〜第１３の局面によれば、ソース基板から制御基板に対して出力された信号に基づき、ソースドライバがソース線を駆動するときに用いる電源電圧を出力するか否かを切り替えることにより、ソース線の駆動に用いられる電源電圧の供給を異常時に停止することができる。したがって、ソース線を両端から駆動する表示装置において、接続不良などが発生したときでも深刻な損害の発生を防止することができる。
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】変更
【補正の内容】
【００２８】
本発明の第１または第１１の局面によれば、制御基板とソース基板の間で接続不良が発生したことや、ソースドライバが故障したことを検知することができる。接続不良やソースドライバの故障を検知したときにはソース線の駆動に用いられる電源電圧の供給を停止することにより、深刻な損害の発生を防止することができる。
【手続補正２０】
【補正対象書類名】明細書
【補正対象項目名】００２９
【補正方法】変更
【補正の内容】
【００２９】
本発明の第２の局面によれば、駆動完了信号が所定の周期で駆動完了を示すか否かに基づき、ソースドライバの故障を検知することができる。
【手続補正２１】
【補正対象書類名】明細書
【補正対象項目名】００３０
【補正方法】変更
【補正の内容】
【００３０】
本発明の第３の局面によれば、多段接続されたソースドライバが対応するすべてのソース線を駆動した後に、駆動完了信号は駆動完了を示す。このような駆動完了信号を用いて、ソースドライバの故障を検知することができる。
【手続補正２２】
【補正対象書類名】明細書
【補正対象項目名】００３１
【補正方法】変更
【補正の内容】
【００３１】
本発明の第４または第１２の局面によれば、複数のソース基板を備えた表示装置において、制御基板といずれかのソース基板の間で接続不良が発生したことを検知することができる。接続不良を検知したときにはソース線の駆動に用いられる電源電圧の供給を停止することにより、深刻な損害の発生を防止することができる。
【手続補正２３】
【補正対象書類名】明細書
【補正対象項目名】００３２
【補正方法】変更
【補正の内容】
【００３２】
本発明の第５の局面によれば、複数の制御基板を備えた表示装置において、いずれかの制御基板と対応する基板のいずれかとの間で接続不良が発生したことを検知することができる。接続不良を検知したときにはソース線の駆動に用いられる電源電圧の供給を停止することにより、深刻な損害の発生を防止することができる。
本発明の第６または第１３の局面によれば、制御基板とソース基板の間で接続確認信号を交換することにより、制御基板とソース基板の間で接続不良が発生したことを検知することができる。接続不良を検知したときにはソース線の駆動に用いられる電源電圧の供給を停止することにより、深刻な損害の発生を防止することができる。
本発明の第７の局面によれば、制御基板から第１レベルを有する接続確認信号を出力し、ソース基板から出力された接続確認信号を制御基板において第２レベルにプルアップまたはプルダウンすることにより、制御基板とソース基板の間で接続不良が発生したことを容易に検知することができる。
【手続補正２４】
【補正対象書類名】明細書
【補正対象項目名】００３３
【補正方法】変更
【補正の内容】
【００３３】
本発明の第８の局面によれば、制御基板とソース基板をケーブルを用いて接続した表示装置において、接続不良などが発生したときでも深刻な損害の発生を防止することができる。
【手続補正２５】
【補正対象書類名】明細書
【補正対象項目名】００３４
【補正方法】変更
【補正の内容】
【００３４】
本発明の第９の局面によれば、ソースドライバをフレキシブル基板上に実装した表示装置において、接続不良などが発生したときでも深刻な損害の発生を防止することができる。
【手続補正２６】
【補正対象書類名】明細書
【補正対象項目名】００３５
【補正方法】変更
【補正の内容】
【００３５】
本発明の第１０の局面によれば、ソース線を両端から駆動する液晶表示装置において、接続不良などが発生したときでも深刻な損害の発生を防止することができる。
【手続補正２７】
【補正対象書類名】明細書
【補正対象項目名】００３８
【補正方法】変更
【補正の内容】
【００３８】
液晶パネル１１は、上辺、下辺、左辺、および、右辺を有する表示パネルである。上辺と下辺は互いに対向し、左辺と右辺は互いに対向する。液晶パネル１１は、複数のゲート線（図示せず）、複数のソース線１７、および、複数の画素回路（図示せず）を含んでいる。ゲート線は、液晶パネル１１の上辺および下辺と平行に配置される。ソース線１７は、液晶パネル１１の左辺および右辺と平行に配置される。画素回路は、ゲート線とソース線１７の交点に対応して配置される。
【手続補正２８】
【補正対象書類名】特許請求の範囲
【補正対象項目名】全文
【補正方法】変更
【補正の内容】
【特許請求の範囲】
【請求項１】
対向する２辺を有し、前記２辺から引き出された複数のソース線を含む表示パネルと、
前記ソース線を両端から駆動する複数のソースドライバと、
前記ソースドライバが前記ソース線を駆動するときに用いる電源電圧を出力する電源回路を含む１以上の制御基板と、
前記制御基板と前記ソースドライバとの間に設けられた複数のソース基板とを備え、
前記ソースドライバは、駆動開始を指示するスタートパルスを順に転送するように多段接続され、
前記ソース基板は、最終段のソースドライバから出力されたスタートパルスを駆動完了信号として前記制御基板に対して出力し、
前記電源回路は、前記駆動完了信号に基づき、前記電源電圧を出力するか否かを切り替えることを特徴とする、表示装置。
【請求項２】
前記電源回路は、前記駆動完了信号が所定の周期で駆動完了を示さない場合には前記電源電圧の出力を停止することを特徴とする、請求項１に記載の表示装置。
【請求項３】
前記ソースドライバは、前段から前記スタートパルスが出力されたときには、対応するソース線を駆動し、後段に対して前記スタートパルスを出力することを特徴とする、請求項２に記載の表示装置。
【請求項４】
対向する２辺を有し、前記２辺から引き出された複数のソース線を含む表示パネルと、
前記ソース線を両端から駆動する複数のソースドライバと、
前記ソースドライバが前記ソース線を駆動するときに用いる電源電圧を出力する電源回路を含む１以上の制御基板と、
前記制御基板と前記ソースドライバとの間に設けられ、前記制御基板に対して接続確認信号を出力する複数のソース基板とを備え、
前記電源回路は、前記複数のソース基板から出力された接続確認信号のいずれかが異常を示す場合には前記電源電圧の出力を停止することを特徴とする、表示装置。
【請求項５】
前記１以上の制御基板として、接続確認信号を順に転送し、電源制御信号を逆順に転送するように多段接続された複数の制御基板を備え、
最終段以外の制御基板は、前段および対応する基板から出力された接続確認信号がすべて正常を示す場合には、後段に対して正常を示す接続確認信号を出力し、
最終段の制御基板は、前段および対応する基板から出力された接続確認信号がすべて正常を示す場合には、正常を示す電源制御信号を出力し、
前記最終段以外の制御基板は、後段から出力された電源制御信号を前段に対して出力し、
前記制御基板上の電源回路は、前記電源制御信号が異常を示す場合には前記電源電圧の出力を停止することを特徴とする、請求項４に記載の表示装置。
【請求項６】
対向する２辺を有し、前記２辺から引き出された複数のソース線を含む表示パネルと、
前記ソース線を両端から駆動する複数のソースドライバと、
前記ソースドライバが前記ソース線を駆動するときに用いる電源電圧を出力する電源回路を含む１以上の制御基板と、
前記制御基板と前記ソースドライバとの間に設けられた複数のソース基板とを備え、
前記制御基板は、前記ソース基板に対して第１接続確認信号を出力し、
前記ソース基板は、前記制御基板から出力された第１接続確認信号をそのまま第２接続確認信号として前記制御基板に対して出力し、
前記電源回路は、前記ソース基板から出力された第２接続確認信号が異常を示す場合には前記電源電圧の出力を停止することを特徴とする、表示装置。
【請求項７】
前記制御基板は、前記ソース基板に対して第１レベルを有する第１接続確認信号を出力し、前記ソース基板から出力された第２接続確認信号を第２レベルにプルアップまたはプルダウンすることを特徴とする、請求項６に記載の表示装置。
【請求項８】
前記制御基板と前記ソース基板は、ケーブルを用いて接続されることを特徴とする、請求項１、４および６のいずれかに記載の表示装置。
【請求項９】
前記ソースドライバは、前記ソース基板と前記表示パネルとの間に設けられたフレキシブル基板上に実装されていることを特徴とする、請求項１、４および６のいずれかに記載の表示装置。
【請求項１０】
前記表示パネルは、液晶パネルであることを特徴とする、請求項１、４および６のいずれかに記載の表示装置。
【請求項１１】
対向する２辺を有し、前記２辺から引き出された複数のソース線を含む表示パネルと、前記ソース線を両端から駆動する複数のソースドライバと、前記ソースドライバが前記ソース線を駆動するときに用いる電源電圧を出力する電源回路を含む１以上の制御基板と、前記制御基板と前記ソースドライバとの間に設けられた複数のソース基板とを有する表示装置の電源制御方法であって、
前記ソースドライバは、駆動開始を指示するスタートパルスを順に転送するように多段接続されており、
前記ソース基板が、最終段のソースドライバから出力されたスタートパルスを駆動完了信号として前記制御基板に対して出力するステップと、
前記電源回路が、前記駆動完了信号に基づき、前記電源電圧を出力するか否かを切り替えるステップとを備えた、電源制御方法。
【請求項１２】
対向する２辺を有し、前記２辺から引き出された複数のソース線を含む表示パネルと、前記ソース線を両端から駆動する複数のソースドライバと、前記ソースドライバが前記ソース線を駆動するときに用いる電源電圧を出力する電源回路を含む１以上の制御基板と、前記制御基板と前記ソースドライバとの間に設けられた複数のソース基板とを有する表示装置の電源制御方法であって、
前記複数のソース基板が、前記制御基板に対して接続確認信号を出力するステップと、
前記電源回路が、前記複数のソース基板から出力された接続確認信号のいずれかが異常を示す場合には前記電源電圧の出力を停止するステップとを備えた、電源制御方法。
【請求項１３】
対向する２辺を有し、前記２辺から引き出された複数のソース線を含む表示パネルと、前記ソース線を両端から駆動する複数のソースドライバと、前記ソースドライバが前記ソース線を駆動するときに用いる電源電圧を出力する電源回路を含む１以上の制御基板と、前記制御基板と前記ソースドライバとの間に設けられた複数のソース基板とを有する表示装置の電源制御方法であって、
前記制御基板が、前記ソース基板に対して第１接続確認信号を出力するステップと、
前記ソース基板が、前記制御基板から出力された第１接続確認信号をそのまま第２接続確認信号として前記制御基板に対して出力するステップと、
前記電源回路が、前記ソース基板から出力された第２接続確認信号が異常を示す場合には前記電源電圧の出力を停止するステップとを備えた、電源制御方法。
【国際調査報告】
2017033844.tif 000014
2017033844.tif 000015
2017033844.tif 000016
2017033844.tif 000017